(57)【要約】【課題】弾性体を用いて大気連通路を形成することで、大気と大気連通路との密閉性を確保して適切な透気透湿性を実現する。【解決手段】液滴を吐出するノズルと、ノズルと連通する個別液室と、個別液室に供給する液体を貯留する共通液室３１と、ノズルから液滴を吐出させるための圧力発生手段と、共通液室３１の壁面の一部に設けられる変形可能なダンパ３３と、当該液滴吐出装置１の構造部材である連結経路上部材５０の所定面と密接し、共通液室３１へ液体を供給する流路を封止する液体封止部材であるする弾性部材７０と、を備え、共通液室３１のダンパ３３を挟んだ反対側に大気連通路を介して大気と連通する空間３４が形成されるとともに、大気連通路は、弾性部材７０に形成されたパターン状の溝４２ｂにより形成される連通路を含んでなる。【選択図】図４
2015107633.tif 000002
【特許請求の範囲】
【請求項１】
液滴を吐出するノズルと、
前記ノズルと連通する個別液室と、
前記個別液室に供給する液体を貯留する共通液室と、
前記ノズルから液滴を吐出させるための圧力発生手段と、
前記共通液室の壁面の一部に設けられる変形可能なダンパと、
当該液滴吐出ヘッドの構造部材の所定面と少なくとも一面で密接し、前記共通液室へ液体を供給する流路を封止する液体封止部材である弾性体と、を備え、
前記共通液室の前記ダンパを挟んだ反対側に大気連通路を介して大気と連通する空間が形成されるとともに、
前記大気連通路は、前記弾性体または前記構造部材の密接面の少なくとも一方に形成された凹形状部により形成される連通路を含んでなることを特徴とする液滴吐出ヘッド。
【請求項２】
前記凹形状部は、前記弾性体の前記構造部材との密接面に形成されることを特徴とする請求項１に記載の液滴吐出ヘッド。
【請求項３】
前記凹形状部は、前記構造部材の前記弾性体との密接面に形成されることを特徴とする請求項１に記載の液滴吐出ヘッド。
【請求項４】
前記弾性体と所定面で密接する前記構造部材を第１の構造部材として、
該第１の構造部材の前記弾性体を挟んだ反対側において、該弾性体と密接する第２の構造部材を備え、
前記凹形状部は、前記弾性体の前記第１の構造部材との密接面および前記第２の構造部材との密接面の両面に形成されると共に、該両面に形成された凹形状部は、該弾性体に形成された貫通孔を介して連通していることを特徴とする請求項１に記載の液滴吐出ヘッド。
【請求項５】
前記弾性体と所定面で密接する前記構造部材を第１の構造部材として、
該第１の構造部材の前記弾性体を挟んだ反対側において、該弾性体と密接する第２の構造部材を備え、
前記凹形状部は、前記第１の構造部材の前記弾性体との密接面および前記第２の構造部材の前記弾性体との密接面の２つの面に形成されると共に、該２つの面に形成された凹形状部は、前記弾性体に形成された貫通孔を介して連通していることを特徴とする請求項１に記載の液滴吐出ヘッド。
【請求項６】
前記構造部材は前記共通液室へ供給する液体を貯留するタンク部と前記共通液室とを連結する流路を形成する部材であって、
前記弾性体は該流路を封止する液体封止部材であることを特徴とする請求項１に記載の液滴吐出ヘッド。
【請求項７】
液滴を吐出するノズルと、
前記ノズルと連通する個別液室と、
前記個別液室に供給する液体を貯留する共通液室と、
前記ノズルから液滴を吐出させるための圧力発生手段と、
前記共通液室の壁面の一部に設けられる変形可能なダンパと、
当該液滴吐出ヘッドの構造部材の所定面と少なくとも一面で密接する弾性体と、を備え、
前記共通液室の前記ダンパを挟んだ反対側に大気連通路を介して大気と連通する空間が形成されるとともに、
前記構造部材は、前記空間を形成するフレーム部材を含むとともに、
前記弾性体は、前記空間において少なくとも前記ダンパが変形可能なダンパ室空間を残して該空間を埋めるブロック部材であって、
前記ブロック部材の少なくとも一部の面と前記フレーム部材の内壁面が密接し、前記大気連通路は、前記ブロック部材または前記フレーム部材の内壁面の少なくとも一方に形成された凹形状部により形成される連通路を含んでなることを特徴とする液滴吐出ヘッド。
【請求項８】
前記凹形状部により形成される連通路の一端は、前記ダンパ室空間に開口していることを特徴とする請求項７に記載の液滴吐出ヘッド。
【請求項９】
前記ダンパ室空間の前記ブロック部材を挟んだ反対側には、
前記共通液室へ供給する液体を貯留するタンク部と、該タンク部と前記共通液室とを連結する流路の一部を形成する流路形成部材と、が少なくとも設けられ、
前記流路形成部材には、大気と連通する貫通孔が形成されるとともに、該貫通孔は、前記凹形状部により形成される連通路の一端と連通していることを特徴とする請求項７または８に記載の液滴吐出ヘッド。
【請求項１０】
前記ブロック部材の一部は、前記流路形成部材と前記フレーム部材との間に挟まれて前記流路に面し、該流路に面する部分は、該流路を封止する液体封止部となっていることを特徴とする請求項９に記載の液滴吐出ヘッド。
【請求項１１】
前記フレーム部材は、前記空間において前記ダンパ室空間が形成される側にストッパ部を有し、
前記ブロック部材は、前記ストッパ部に当接することで、該ブロック部材の位置決めがされることを特徴とする請求項７から１０までのいずれかに記載の液滴吐出ヘッド。
【請求項１２】
前記凹形状部は、前記弾性体に形成され、該凹形状部の外縁部に凸形状部が設けられていることを特徴とする請求項１，２，４，７のいずれかに記載の液滴吐出ヘッド。
【請求項１３】
前記凸形状部は、複数の凸部を有することを特徴とする請求項１２に記載の液滴吐出ヘッド。
【請求項１４】
前記弾性体がフッ素ゴムであることを特徴とする請求項１から１３までのいずれかに記載の液滴吐出ヘッド。
【請求項１５】
請求項１から１４までのいずれかに記載の液滴吐出ヘッドを備えることを特徴とする画像形成装置。
【発明の詳細な説明】
【技術分野】
【０００１】
本発明は、液滴吐出ヘッドおよび画像形成装置に関する。さらに詳述すると、複写機、ファクシミリ、プリンタ、プロッタ、これらの複合機等の画像形成装置に用いられる液滴吐出ヘッドに関する。
【背景技術】
【０００２】
複写機、ファクシミリ、プリンタ、プロッタ、これらの複合機等の画像形成装置として、例えば、液滴吐出ヘッドで構成した液滴吐出装置を用いて、記録材（以下、用紙ともいうが材質を限定するものではなく、記録媒体、シート、被記録媒体、記録用紙、転写材、記録紙なども同義で使用する）を搬送しながら、液体としてのインクを記録材に付着させて画像形成（記録、印刷、印写、印字も同義語で用いる）を行なう、いわゆるインクジェット方式の画像形成装置（以下、インクジェット記録装置ともいう）が知られている。
【０００３】
インクジェット記録装置は、近年、低価格化、高画質化が進み、また、一般家庭へのパーソナルコンピュータの普及により様々な用途で数多く使用されている。
【０００４】
インクジェット記録装置は、記録が必要な時にのみインクの微小液滴を吐出するように構成されたオンデマンド方式の液滴吐出装置を備えるものが主流になっている。この液滴吐出装置としては、インクを充填した液室（共通液室）の壁の一部に振動板を設け、圧電アクチュエータ等により振動板を変位させ、液室内の圧力を高めノズルからインクを吐出させる圧電式と、通電によって発熱する発熱体を液室内に設けて発熱体の発熱により生じる気泡によって液室内の圧力を高めてインクを吐出させるサーマル方式と、が知られている。いずれの方式においても、液滴吐出装置を駆動させるための駆動回路からの駆動信号で圧力発生源を駆動させ、吐出口からインク液滴を吐出させて記録媒体上に着弾させている。
【０００５】
また、共通液室の壁面の一部には、ノズルからのインクの吐出で発生する圧力伝播の吸収をするための弾性または可撓性を有する部材（ダンパ）を設けることが知られている。ダンパは、圧力伝播の吸収を目的とするものであるため、薄さ、柔軟性が要求される。このため、透気透湿しやすい材質を用いることが一般的である。
【０００６】
一方で、透気透湿しやすい材質を用いることで、共通液室内のインクの水分蒸発が進み、インクが乾燥することで、吐出不具合に繋がってしまうおそれがある。これを回避するために、ダンパがインクと接する面と反対側については、大気に直接触れないようにするために密閉された空間とすることが望ましいとも考えられる。
【０００７】
しかしながら、ダンパがインクと接する面と反対側を、密閉された空間にしてしまうと、環境温度の変化などで、その空間に閉じ込められた空気の膨張が発生した場合、ダンパが変位して、吐出による共通液室への圧力変動を吸収するというダンパの機能が損なわれてしまうおそれがある。
【０００８】
例えば、特許文献１には、ノズル形成面に開口したノズルに連通する圧力室、該圧力室に液体を供給する共通液室が形成された連通板、並びに該連通板における共通液室のノズル形成面側の開口面を密封する可撓性フィルム、を有する液体噴射ヘッドと、窪み状の封止空部を有し、該封止空部内にノズル形成面を臨ませて封止可能な封止部材と、を備え、該封止部材は、ノズル形成面の封止状態で可撓性フィルムの少なくとも一部を封止空部内に臨ませて封止可能に構成された液体噴射装置が開示されている。さらに、可撓性フィルムの周囲を囲繞する壁部と、可撓性フィルムのリザーバーとは反対側の面から離間した底部と、を備えた保護基板を備え、保護基板は凹状に窪んだ保護空間を有し、この保護空間内に可撓性フィルムの全体を臨ませた状態で、保護空間の開口縁（壁部の上面）が連通板に接合されている構成が開示されている。
【０００９】
しかしながら、特許文献１では、上述のように、密閉された保護空間の圧力が変化した場合にダンパとしての機能に影響がでてしまう。
【００１０】
これに対し、ダンパがインクと接する面と反対側を、密閉された空間とするのではなく、この空間と大気とを微小断面の空気管路（以下、大気連通路ともいう）で繋いで連通させる技術が知られている。この大気連通路を、孔形状とする場合、長い経路長を確保することは、加工上難しいため、平面上に凹断面で繋がるスネーク状の経路を形成し、この経路が形成された面をフィルムなどのシート部材によって蓋をして大気連通路を形成することが知られている。
【００１１】
また、この大気連通路に関し、例えば、特許文献２には、複数のケース構成部材を積層して構成されたケース部材を備え、各ケース構成部材のうち、少なくとも１つに制御通路が形成され、且つ、各ケース構成部材には、大気開放通路又は制御通路のうち、少なくとも何れか一方が形成され、各通路がケース構成部材の積層状態で一連に連通して大気開放されている液体噴霧ヘッドが開示されている。
【００１２】
また、特許文献３には、大気開放孔が両端の開口面を結ぶ最短の直線よりも長い長孔を介して大気に開放されているインクジェット式記録ヘッドが開示されている。
【発明の概要】
【発明が解決しようとする課題】
【００１３】
しかしながら、特許文献２のように積層によって経路断面を小さくする構成では、境界面の封止が難しく、接合面の高い封止精度が要求される。また、特許文献３では、大気開放孔を直線的ではなくして経路長を稼いでいるが、大気開放孔は、分割した断面に形成されたものを接着で張り合わせることで形成されているため、接合面の封止が難しいという問題がある。
【００１４】
また、上記の平面上に凹断面で繋がる経路を形成し、この経路が形成された面をシート部材によって蓋をして大気連通路を形成する場合は、蓋となる部材を厚くし、接着剤などを使用して封止することが知られているが、接着剤からの透気透湿が問題となってしまう。また、蓋となる部材を熱や超音波などの溶着によって固定する方法も知られているが、蓋となる部材に樹脂製のフィルム等が用いられるため、当該部材自体からの透気透湿が問題となってしまう。
【００１５】
このように従来の大気連通路の形成方法では、接合箇所の封止が難しいことで、大気連通路以外の箇所で大気との連通箇所が生じ、管路抵抗が減ってしまい大気との連通速度（連通量）が大きくなって透気透湿性が低下してしまうことがあった。また、接着剤や蓋となる部材に起因した透気透湿が生じるおそれがあった。
【００１６】
そこで本発明は、弾性体を用いて大気連通路を形成することで、大気と大気連通路との密閉性を確保するとともに、接着剤を用いずに、適切な透気透湿性を実現することができる液滴吐出ヘッドを提供することを目的とする。
【課題を解決するための手段】
【００１７】
かかる目的を達成するため、本発明に係る液滴吐出ヘッドは、液滴を吐出するノズルと、前記ノズルと連通する個別液室と、前記個別液室に供給する液体を貯留する共通液室と、前記ノズルから液滴を吐出させるための圧力発生手段と、前記共通液室の壁面の一部に設けられる変形可能なダンパと、当該液滴吐出ヘッドの構造部材の所定面と少なくとも一面で密接し、前記共通液室へ液体を供給する流路を封止する液体封止部材である弾性体と、を備え、前記共通液室の前記ダンパを挟んだ反対側に大気連通路を介して大気と連通する空間が形成されるとともに、前記大気連通路は、前記弾性体または前記構造部材の密接面の少なくとも一方に形成された凹形状部により形成される連通路を含んでなるものである。
【発明の効果】
【００１８】
本発明によれば、弾性体を用いて大気連通路を形成することで、大気と大気連通路との密閉性を確保するとともに、接着剤を用いずに、適切な透気透湿性を実現することができる。
【図面の簡単な説明】
【００１９】
【図１】液滴吐出装置の基本構成を示す断面図である。
【図２】アクチュエータユニットおよびノズル板の概略斜視図である。
【図３】大気連通路が形成された連結経路下部材の上面模式図である。
【図４】液滴吐出装置の一実施形態を示す断面図である。
【図５】大気連通路が形成された弾性部材の上面模式図である。
【図６】液滴吐出装置の第２の実施形態を示す断面図である。
【図７】大気連通路が形成された弾性部材の（Ａ）下面模式図、（Ｂ）上面模式図である。
【図８】両面にパターン状の溝が設けられた弾性部材の断面図である。
【図９】液滴吐出装置の第３の実施形態を示す断面図である。
【図１０】液滴吐出装置の第４の実施形態を示す断面図（１）である。
【図１１】大気連通路が形成された連結経路上部材の下面模式図である。
【図１２】液滴吐出装置の第４の実施形態を示す断面図（２）である。
【図１３】液滴吐出装置の第５の実施形態を示す断面図である。
【図１４】一側面にパターン状の溝が形成されたブロック部材の斜視図である。
【図１５】液滴吐出装置の第６の実施形態を示す断面図である。
【図１６】全側面にパターン状の溝が形成されたブロック部材の斜視図である。
【図１７】パターン状の溝および凸形状部が設けられたブロック部材の断面図である。
【図１８】フレームの上方から空間を見たときの断面図である（第７の実施形態）。
【図１９】液滴吐出装置の第８の実施形態を示す断面図である。
【図２０】画像形成装置の一実施形態を示す外観斜視図である。
【図２１】画像形成装置の一実施形態を示す側面図である。
【発明を実施するための形態】
【００２０】
以下、本発明に係る構成を図１から図２１に示す実施の形態に基づいて詳細に説明する。本発明に係る液滴吐出ヘッドは、以下の各実施形態にて説明するように、液滴を吐出するノズル（ノズル１１）と、ノズルと連通する個別液室（個別液室２１）と、個別液室に供給する液体を貯留する共通液室（共通液室３１）と、ノズルから液滴を吐出させるための圧力発生手段（アクチュエータ２３）と、共通液室の壁面の一部に設けられる変形可能なダンパ（ダンパ３３）と、当該液滴吐出ヘッドの構造部材（連結経路下部材４０、連結経路上部材５０、フレーム３０）の所定面と少なくとも一面で密接し、共通液室へ液体を供給する流路を封止する液体封止部材である弾性体（弾性部材７０、ブロック部材８０）と、を備え、共通液室のダンパを挟んだ反対側に大気連通路を介して大気と連通する空間（空間３４）が形成されるとともに、大気連通路（大気連通路４２，５２，７２）は、弾性体または構造部材の密接面の少なくとも一方に形成された凹形状部（パターン状の溝４２ｂ，５２ｂ，７２ｂ，７２ｂ１，７２ｂ２，３２ｂ，８２ｂ）により形成される連通路を含んでなるものである。なお、括弧内は実施形態での符号、適用例を示す。
【００２１】
（液滴吐出装置）
［第１の実施形態］
先ず、本発明に係る液滴吐出ヘッドの前提となる基本構成について説明する。図１は、液滴吐出ヘッドで構成した液滴吐出装置の基本構成を示す断面図である。
【００２２】
図１に示す液滴吐出装置１は、液滴を吐出するアクチュエータユニット２０およびノズル板１０が、構造部材であるフレーム３０に装着されている。
【００２３】
アクチュエータユニット２０およびノズル板１０の要部の構成例について説明する。アクチュエータユニット２０およびノズル板１０の概略斜視図を図２に示す。図２に示すように、ノズル板１０には、イエロー、マゼンタ、シアン、ブラックの各色のインクを吐出するためのノズル１１（１１ｙ，１１ｍ，１１ｃ，１１ｋ）が形成されている。なお、添字ｙ，ｍ，ｃ，ｋはそれぞれイエロー、マゼンタ、シアン、ブラックの各色に対応する。
【００２４】
また、アクチュエータユニット２０は、少なくとも、ノズル毎に設けられた個別液室２１（２１ｙ，２１ｍ，２１ｃ，２１ｋ）が形成された流路板２２と、個別液室２１内のインクを押し込んでノズル１１からインクを吐出させるための圧力発生手段としてのアクチュエータ２３（２３ｙ，２３ｍ，２３ｃ，２３ｋ）と、アクチュエータ２３に吐出信号を出力する駆動回路２４（２４ａ，２４ｂ，２４ｃ，２４ｄ）が形成されたアクチュエータ基板２５と、を備えている。
【００２５】
また、流路板２２には、個別液室２１（２１ｙ，２１ｍ，２１ｃ，２１ｋ）にインクを供給する供給路を兼ねた流体抵抗部２６（２６ｙ，２６ｍ，２６ｃ，２６ｋ）が形成され、各流体抵抗部２６には液導入部２７（２７ｙ，２７ｍ，２７ｃ，２７ｋ）が連通している。なお、流体抵抗部２６は、流路の断面積が小さい供給路となっている。
【００２６】
アクチュエータユニット２０の個別液室２１へ液体を供給するための共通液室３１がフレーム３０に形成されており、共通液室３１は、フレーム３０に設けられた連結管３２と、連結経路下部材（第１の構造部材）４０、弾性部材７０、連結経路上部材（第２の構造部材）５０のそれぞれに設けられた、インク経路４１，７１，５１を介してインクタンク６０と連通している。なお、構造部材であるフレーム３０、連結経路下部材４０、および連結経路上部材５０は、透気透湿しない材質により構成される。例えば、エポキシ樹脂、ポリフェニレンサルファイド（ＰＰＳ）、ポリスチレン（ＰＳ）、ポリプロピレン（ＰＰ）、ポリアセタール（ＰＯＭ）、ポリエチレン（ＰＥ）などを用いることができる。
【００２７】
インクタンク６０は、共通液室３１へ供給するインクを貯留するタンク部である。インクタンク６０には、連結経路上部材５０が嵌合されるとともに、連結経路上部材５０および連結経路下部材４０の間には、シートパッキンなどの弾性部材７０が設けられ、液体の漏れを防ぐように構成されている。
【００２８】
また、インクタンク６０から形成された連結経路上部材５０のインク経路５１および弾性部材７０のインク経路７１は、フレーム３０に設けられた連結管３２と連通するために、連結経路下部材４０のインク経路４１にて経路変換を行っている。
【００２９】
また、フレーム３０の共通液室３１側の壁面の一部には、圧力変動を吸収するためのダンパ３３が設けられている。ダンパ３３は、ノズル１１からのインクの吐出により共通液室３１内に発生する圧力伝播の吸収をするための弾性または可撓性を有する部材である。
【００３０】
ダンパ３３の材質としては、薄いフィルム状の樹脂や、弾性体であるゴム（原料ゴム）やエラストマー（弾力ゴム）などを用いることができる。特に、フレーム３０に対して二次成形できることを目的として、また、成形だけで密着性を有することができる自己接着型熱硬化シリコンを用いることが好ましい。これにより、部品製作工数を低減することができるとともに、低コスト化を図ることができる。
【００３１】
ここで、ダンパ３３は弾性や可撓性を有する部材であるため、水分を透過してしまう懸念がある。そして、共通液室３１内の水分蒸発が進んでしまうとインクは増粘し、不吐出などの吐出不良に繋がってしまう。
【００３２】
これを抑制するために、ダンパ３３の共通液室３１とは反対側において、連結経路下部材４０は、フレーム３０の上部で蓋をし、その外周を封止している。完全に封止した場合、フレーム３０と連結経路下部材４０との間に形成される空間３４は密閉された空間となってしまうため、空気の逃げ場がなく、ダンパ３３の変位の妨げになる。また、環境変化などで気圧変動がある場合、空間３４の内圧が上がってしまうため、空間３４を大気と連通させておく必要がある。
【００３３】
一方で、透気透湿を抑制することも必要であるため、空間３４と大気との大気連通路は、管路抵抗をもたせるため、経路断面をできるだけ小さく、かつ、経路長はできるだけ長いものが好ましいといえる。
【００３４】
図１に示す液滴吐出装置１では、連結経路下部材４０に空間３４と連通し、大気まで貫通する大気連通路４２が設けられている。この大気連通路４２が形成された連結経路下部材４０を上面（インクタンク側）からみた場合の模式図を図３に示す。なお、インク経路４１の図示は省略している。
【００３５】
図３に示すように、連結経路下部材４０の上面には、連結経路下部材４０の下面で空間３４と貫通する貫通孔４２ａが形成され、この貫通孔４２ａから往復するスネーク状の凹形状部であるパターン状の溝４２ｂが形成されている。この貫通孔４２ａとパターン状の溝４２ｂの形成位置を覆うようにカバーシール９０を貼付することで、形成された貫通孔４２ａおよびパターン状の溝４２ｂが大気連通路４２となる。なお、カバーシール９０の貼付は、パターン状の溝４２ｂがそれぞれ隔てられるように、接着剤にてシールされることでなされる。
【００３６】
しかしながら、このように大気連通路４２が形成された部材に対し、シール部材により接着剤を用いて、シールして封止する方法では、接着剤からの透気透湿が生じるおそれがあり、大気連通路４２以外の箇所で大気との連通箇所が生じ、抵抗が減ってしまい、透気透湿性が低下してしまうことがあった。
【００３７】
また、大気連通路４２のパターン状の溝４２ｂを隔てた状態で密閉して接着するためには、部品精度や接着剤の厚み管理、接着剤の溝部への流れ込みなどの管理が必要で、製作には困難が伴うものであった。また、フィルムなどの薄いシール部材をカバーシール９０として使用することで、フィルム自体の透気透湿性の確保が必要となってしまっていた。また、シール部材として金属やアルミなどのテープを使用する場合は、高コスト化に繋がってしまう。
【００３８】
そこで、本実施形態に係る液滴吐出装置（液滴吐出装置１）は、図４に示すように、液滴を吐出するノズル（ノズル板１０のノズル１１）と、ノズルと連通する個別液室（アクチュエータユニット２０の個別液室２１）と、個別液室に供給する液体を貯留する共通液室（共通液室３１）と、ノズルから液滴を吐出させるための圧力発生手段（アクチュエータユニット２０のアクチュエータ２３）と、共通液室の壁面の一部に設けられる変形可能なダンパ（ダンパ３３）と、当該液滴吐出装置の構造部材（連結経路下部材４０、連結経路上部材５０）の所定面と少なくとも一面で密接し、共通液室へ液体を供給する流路を封止する液体封止部材である弾性体（弾性部材７０）と、を備え、共通液室のダンパを挟んだ反対側に大気連通路を介して大気と連通する空間（空間３４）が形成されるとともに、大気連通路（大気連通路７２）は、弾性体に形成された凹形状部（パターン状の溝７２ｂ）により形成される連通路を含んでなるものである。
【００３９】
図４は、第１の実施形態に係る液滴吐出装置を示す断面図である。なお、図１に示した液滴吐出装置と同様の点についての説明は適宜省略する。
【００４０】
本実施形態に係る液滴吐出装置１では、連結経路下部材４０には貫通孔４２ａが形成され、パターン状の溝４２ｂは形成されない。そして、連結経路下部材４０の貫通孔４２ａを覆う位置に、連結経路上部材５０および弾性部材７０が形成されている。
【００４１】
そして、弾性部材７０に、連結経路下部材４０の貫通孔４２ａを介して空間３４と連通し、大気まで貫通する大気連通路７２が設けられるものである。この大気連通路７２が形成された弾性部材７０の上面からみた場合の模式図を図５に示す。なお、本実施形態の液滴吐出装置１は、４つの共通液室３１が形成されるものであって、弾性部材７０には、４つのインク経路７１が形成されている。
【００４２】
図５に示すように、弾性部材７０の連結経路下部材４０とは反対側の面には、連結経路下部材４０の貫通孔４２ａを介して空間３４と貫通する貫通孔７２ａが形成され、この貫通孔７２ａから往復のパターン状の溝７２ｂが形成されている。この貫通孔７２ａとパターン状の溝７２ｂの形成位置は、連結経路上部材５０で覆われるため、形成された貫通孔７２ａおよびパターン状の溝７２ｂが大気連通路７２となるものである。
【００４３】
なお、図５に示す例では、パターン状の溝７２ｂを直接大気と連通させる構成としているが、これに限られるものではなく、例えば、連結経路上部材５０に大気と連通する貫通孔を形成し、パターン状の溝７２ｂの貫通孔７２ａの他端側を、連結経路上部材５０に形成した貫通孔と連通させることで大気と連通させて、大気連通路７２を形成しても良い。
【００４４】
弾性部材７０は、弾性体であるゴムやエラストマーなどを用いることができ、特に、フッ素ゴムを用いることが好ましい。また、ダンパ機能は必要ないため、ダンパ３３とは異なり、その厚みも厚く形成することができる。このため、弾性部材７０自身での透気透湿は限りなく小さいものとすることができる。
【００４５】
また、弾性部材７０は、連結経路上部材５０と連結経路下部材４０との間に設けられ、インク経路７１が形成される部材であり、インク経路７１をシールする液体封止部材としての機能も兼ねるものである。
【００４６】
そして、連結経路上部材５０の装着によって、予め規定した寸法で弾性部材７０を潰すことで発生する面圧を利用し、パターン状の溝７２ｂがそれぞれ隔てられて１本の経路が形成されるように密閉することができるようになっている。すなわち、液体封止部材としての弾性部材７０が、連結経路上部材５０と連結経路下部材４０との間に装着される際の圧力による面圧を利用するものである。
【００４７】
以上説明した第１の実施形態に係る液滴吐出装置によれば、大気連通路を弾性体により形成して、大気と大気連通路との密閉性を確保し、断面を微小にした管路抵抗を維持することができるため、大気との連通速度を小さくでき、透気透湿を抑制することができる。よって、共通液室の圧力変動を吸収するダンパの減衰機能を確実に発揮させて、共通液室に機械的コンプライアンスを付与すると共に、液滴吐出装置内の液体の増粘を防止して、インクの乾燥を防いで、吐出性能の向上を図ることができる。
【００４８】
また、弾性体と構造部材（連結経路上部材）との圧縮によって大気との連通路の密閉性を確保するため、カバーシール等を接着剤で接着する工程を省くことができ、組立性を改善することができる。さらに、部品点数の削減を図ることができるため、低コスト化を実現することができる。
【００４９】
［第２の実施形態］
以下、本発明に係る液滴吐出装置の他の実施形態について説明する。なお、上記実施形態と同様の点についての説明は適宜省略する。
【００５０】
図６は、第２の実施形態に係る液滴吐出装置を示す断面図である。また、弾性部材７０を下面（連結経路下部材４０側の面）からみた場合の模式図を図７（Ａ）に、弾性部材７０を上面（連結経路上部材５０側の面）からみた場合の模式図を図７（Ｂ）に示す。なお、図７では、インク経路７１の図示は省略している。
【００５１】
本実施形態では、弾性部材７０の連結経路下部材４０と連結経路上部材５０の双方と密接する両面にパターン状の溝７２ｂ１，７２ｂ２が設けられると共に、パターン状の溝７２ｂ１，７２ｂ２は、弾性部材７０を貫通する両面貫通孔７２ｃを介して連通している。そして、空間３４から連結経路下部材４０の貫通孔４２ａは、弾性部材７０の下面のパターン状の溝７２ｂ１の端部７２ｄに連通していることで、貫通孔４２ａから下面（パターン状の溝７２ｂ１）、上面（パターン状の溝７２ｂ２）の順に経路が形成されて大気に連通している。すなわち、パターン状の溝７２ｂ１、両面貫通孔７２ｃ、およびパターン状の溝７２ｂ２により大気連通路７２が形成される。
【００５２】
なお、連結経路下部材４０の貫通孔４２ａと弾性部材７０の上面を貫通させて、貫通孔４２ａから弾性部材７０の上面、下面の順に大気連通路７２を形成して大気と連通するものであっても良い。
【００５３】
図８は、両面にパターン状の溝７２ｂ１，７２ｂ２が設けられた箇所の弾性部材７０の断面図を示している。この弾性部材７０は、連結経路下部材４０および連結経路上部材５０に挟み込まれることで、所定の潰し量になるように組立てられており、パターン状の溝７２ｂ１，７２ｂのそれぞれを密閉することができるようになっている。
【００５４】
このとき、効率的に密閉力が発生するように、パターン状の溝７２ｂ１，７２ｂの外縁部分に凸形状部７３を設けることが好ましい。凸形状部７３は、例えば、図８（Ａ）に示すようにその断面が緩やかなＲ形状で形成されるものである。なお、凸形状部７３の形状は、特に限られるものではなく、断面が円形状や台形形状や三角形状であっても良い。また、図８（Ｂ）に示すように凸形状部７３が複数の凸部から形成されるものであっても良い。なお、凸形状部を設けることが好ましいことは、パターン状の溝７２ｂが弾性部材７０の一面側に形成される構成（第１の実施形態等）においても同様である。
【００５５】
この第２の実施形態に係る液滴吐出装置によれば、大気連通路は、弾性部材の一方の面にて経路長を確保したあと、さらに、他方の面と連通する様に両面貫通孔を介して、反対の面に設けられた経路に繋がっている。したがって、より透気性が要求される場合の大気連通路の延長を可能とすることができる。
【００５６】
［第３の実施形態］
図９は、第３の実施形態に係る液滴吐出装置を示す断面図である。この液滴吐出装置１における連結経路下部材４０は、図３に示した連結経路下部材４０と同様に、上面には、連結経路下部材４０の下面で空間３４と貫通する貫通孔４２ａが形成され、この貫通孔４２ａから往復のパターン状の溝４２ｂが形成されている。また、弾性部材７０は、大気連通路７２は形成されず、平面状の部材である。
【００５７】
そして、連結経路下部材４０の貫通孔４２ａ、パターン状の溝４２ｂを覆う位置に、連結経路上部材５０および弾性部材７０が形成されて密閉されることで、貫通孔４２ａおよびパターン状の溝４２ｂが、弾性部材７０と密着することで、大気連通路４２が形成される。
【００５８】
このように、大気連通路を構造部材に形成しても、弾性体と構造部材（連結経路上部材）との圧縮によって大気との連通路の密閉性を確保することができる。
【００５９】
［第４の実施形態］
図１０は、第４の実施形態に係る液滴吐出装置を示す断面図である。この液滴吐出装置１における連結経路下部材４０は、図３に示した連結経路下部材４０と同様に、上面には、連結経路下部材４０の下面で空間３４と貫通する貫通孔４２ａが形成され、この貫通孔４２ａから往復のパターン状の溝４２ｂが形成されている。
【００６０】
また、弾性部材７０には、連結経路下部材４０のパターン状の溝４２ｂにおける貫通孔４２ａの反対側の端部に相当する位置に、弾性部材７０の上面と下面を貫通する両面貫通孔７２ｃが形成されている。
【００６１】
さらに、連結経路上部材５０の弾性部材７０側の下面にも、図１１に示すように、両面貫通孔７２ｃに対向する位置から往復のパターン状の溝５２ｂが形成されている。このパターン状の溝５２ｂが連結経路上部材５０の大気連通路５２を形成する。なお、インク経路５１の図示は省略している。
【００６２】
この第４の実施形態に係る液滴吐出装置によれば、大気連通路は、連結経路下部材に設けられた経路で経路長を確保したあと、さらに、連結経路上部材に設けられた経路に繋がっている。したがって、より透気性が要求される場合の大気連通路の延長を可能とすることができる。
【００６３】
また、液体封止部材の構成例として、弾性部材７０は、インク経路７１をシールするために、例えば、図１２に示すようなシール部７４が形成される。なお、図１２は、図１０に示す構成においてシール部７４が設けられた例を示しているが、他の実施形態の構成についても同様にシール部７４を設けてもよいのは勿論である。また、図１２の例では、シール部７４は、連結経路下部材４０側に形成されているが、連結経路上部材５０側に形成してもよいのは勿論である。
【００６４】
また、上記実施形態では、パターン状の溝は、連結経路下部材４０と弾性部材７０の対向面の一方の部材側、または連結経路上部材５０と弾性部材７０の対向面の一方の部材側に形成される例について説明したが、連結経路下部材４０（または連結経路上部材５０）と弾性部材７０の対向面の双方にパターン状の溝を形成し、互いのパターン状の溝同士は一部の連通箇所を除いて対向しないように配置して、一方の部材のパターン状の溝が形成されない壁面で、他方の部材のパターン状の溝の壁面を構成して、大気連通路が形成されるようにしても良い。
【００６５】
［第５の実施形態］
ところで、液滴吐出装置が設けられる画像形成装置においては、用紙の搬送を安定して行うために、インクの吐出領域の近傍に用紙を押圧するための押圧機構（例えば、拍車コロなど）が設けられていることが一般的である。このような押圧機構を避けるため、液滴吐出装置の液滴吐出方向の幅（深さ）は増加する傾向にある。
【００６６】
このため、ダンパ３３の共通液室３１側の反対側の空間３４は、液滴吐出方向が深く形成されている。しかしながら、この空間３４の体積が大きいほど、空気の膨張によるダンパ３３への影響が顕著となるため、この空間３４の体積は小さい方が好ましいといえる。
【００６７】
そこで、本実施形態に係る液滴吐出装置は、構造部材は、空間３４を形成するフレーム３０（フレーム部材）を含むとともに、弾性体は、空間３４において少なくともダンパが変形可能なダンパ室空間を残して該空間３４を埋めるブロック部材８０であって、ブロック部材８０の少なくとも一部の面（ブロック表面８０ａ）とフレーム３０の内壁面３０ａが密接し、大気連通路は、ブロック表面８０ａまたはフレーム３０の内壁面３０ａの少なくとも一方に形成された凹形状部（パターン状の溝８２ｂ，３２ｂ）により形成される連通路を含んでなるものである。
【００６８】
図１３は、第５の実施形態に係る液滴吐出装置を示す断面図である。また、図１４は、大気連通路となるパターン状の溝が形成されたブロック部材の斜視図である。なお、図１３は、ブロック部材８０において、パターン状の溝８２ｂが形成される位置での断面を示している。
【００６９】
この液滴吐出装置１におけるフレーム３０と連結経路下部材（流路形成部材）４０との間に形成される空間３４には、空間３４を埋めるように直方体形状のブロック部材８０が挿入されている。ここで、ブロック部材８０は、ブロック部材８０の図中の４つの側面がフレーム３０の各内壁面と密接するように装着される。また、連結経路下部材４０には、大気と貫通する貫通孔４２ａが形成されている。
【００７０】
ブロック部材８０は、弾性部材７０と同様に、弾性体であるゴムやエラストマーなどを用いることができる。特に、フッ素ゴムを用いることが好ましい。ブロック部材８０が弾性部材であることにより、フレーム３０の各内壁面に対し、反発力が生じることで密接する構成となっている。なお、ダンパ機能は必要ないため、ダンパ３３とは異なり、その厚みも厚く形成することができる。このため、ブロック部材８０自身での透気透湿は限りなく小さいものとすることができる。
【００７１】
ブロック部材８０の図中の底面側は、フレーム３０に設けられたストッパ部３５に当接する。すなわち、ブロック部材８０は、フレーム３０の内壁面に密着しながらストッパ部３５に突き当たるまで押し込まれる。ブロック部材８０の底面が、ストッパ部３５に突き当たった状態で、ダンパ３３とブロック部材８０との間には、空間３４の一部が依然として存在するようになっており、ダンパ３３の変位を抑制しないようになっている。なお、ブロック部材８０装着後のダンパ３３上にある空間３４をダンパ室空間とも呼ぶ。なお、図１３に示す例では、ブロック部材８０は、ストッパ部３５に突き当たるまで押し込まれると、ブロック部材８０と連結経路下部材４０とは密接するように構成されているが、ストッパ部３５に突き当たった状態で、ブロック部材８０と連結経路下部材４０との間に空間３４の一部が残るものであっても良い。
【００７２】
ストッパ部３５は、フレーム３０の内部側に該フレーム３０と一体成形された突起状の部分であるが、フレーム３０とは別体としてフレーム３０内部側に設けられる部分であっても良い。
【００７３】
また、ブロック部材８０の底面側の位置決めは、ストッパ部３５を用いることに限られるものではなく、例えば、位置決めのための機構は特に設けずに、ブロック部材８０の側面のフレーム３０の内面に対する反発力により位置決めされるものであっても良い。
【００７４】
図１４に示すように、ブロック部材８０の一側面は、凹形状部であるパターン状の溝８２ｂが形成されたパターン形成面（ブロック表面８０ａとする）となっている。このパターン状の溝８２ｂの一端側は、空間３４（ダンパ室空間）と連通するブロック部材８０の底面位置まで形成されている。すなわち、パターン状の溝８２ｂの一端がダンパ室空間に開口している。また、他端側は、連結経路下部材４０に形成される貫通孔４２ａと連通するブロック部材８０の上面位置まで形成されている。
【００７５】
この連結経路下部材４０に形成される貫通孔４２ａは、ブロック部材８０のパターン状の溝８２ｂの一端側と連通する位置に設けられている。したがって、ダンパ室空間から、パターン状の溝８２ｂと貫通孔４２ａにより大気連通路が形成されている。なお、ブロック部材８０は、連結経路下部材４０の装着によって押し込まれ、ブロック部材８０の上面と連結経路下部材４０とは密接するようになっている。
【００７６】
この第５の実施形態では、フレーム３０の内壁面に弾性部材であるブロック部材８０を密着させている。すなわち、フレーム３０の内壁面により、ブロック表面８０ａに形成されたパターン状の溝８２ｂの空間をシールしている。この際、連結経路下部材４０の装着によって、予め規定した寸法でブロック部材８０を圧縮することで発生する面圧を利用し、パターン状の溝８２ｂがそれぞれ隔てられて１本の経路が形成されるように（隣接する溝が連通してしまわないように）密閉することができるようになっている。
【００７７】
また、ブロック部材８０とフレーム３０の内壁面との圧縮によって大気との連通路の密閉性を確保するため、カバーシール等を接着剤で接着する工程を省くことができ、組立性を改善することができる。さらに、部品点数の削減を図ることができるため、低コスト化を実現することができる。
【００７８】
また、ブロック部材８０により、空間３４を埋めることで、空間３４の体積を抑制することができる。よって、環境変化による体積膨張などを起因とするダンパ機能の低下を抑制することができ、安定したインク吐出性能を確保することが可能となる。
【００７９】
［第６の実施形態］
ブロック部材８０の他の形態について説明する。第５の実施形態では、ブロック部材８０の一側面をパターン形成面とする例を説明したが、ブロック部材８０の２以上の側面をパターン形成面とすることも好ましい。
【００８０】
図１５は、第６の実施形態に係る液滴吐出装置を示す断面図である。また、図１６は、大気連通路となるパターン状の溝が形成されたブロック部材の斜視図である。なお、図１５は、ブロック部材８０において、パターン状の溝８２ｂが形成される位置での断面を示している。
【００８１】
図１６に示すようにブロック部材８０の４つの側面すべてが凹形状部であるパターン状の溝８２ｂが形成されたパターン形成面（ブロック表面８０ａ）となっている。４側面のパターン状の溝８２ｂは連通し、その一端側は、空間３４（ダンパ室空間）と連通するブロック部材８０の底面位置まで形成されている。また、他端側は、連結経路下部材４０に形成される貫通孔４２ａと連通するブロック部材８０の上面位置まで形成されている。したがって、より透気性が要求される場合の大気連通路の延長を可能とすることができる。
【００８２】
図１７は、図１６に示した４つの側面にパターン状の溝８２ｂが設けられたブロック部材８０の断面図を示している。このブロック部材８０は、対向するフレーム３０の内壁面との反発力で、所定の潰し量になるように組立てられており、パターン状の溝８２ｂのそれぞれを密閉することができるようになっている。
【００８３】
このとき、効率的に密閉力が発生するように、パターン状の溝８２ｂの外縁部分に凸形状部８３を設けることが好ましい。この凸形状部８３は、ブロック部材８０をフレーム３０の内部に押し込む際に、フレーム３０の内壁面に圧縮される（潰される）部分である。すなわち、凸形状部８３は、パターン形成面におけるパターン状の溝８２ｂが形成されない面（フレーム３０の内壁面に対向する面）に対して凸形状を有する部分である。
【００８４】
凸形状部８３は、例えば、図１７（Ａ）に示すようにその断面が緩やかなＲ形状で形成されるものである。なお、凸形状部８３の形状は、特に限られるものではなく、断面が円形状や台形形状や三角形状であっても良い。また、図１７（Ｂ）に示すように凸形状部８３が複数の凸部から形成されるものであっても良い。なお、凸形状部を設けることが好ましいことは、パターン状の溝８２ｂがブロック部材８０の一側面に形成される構成（第５の実施形態）においても同様である。
【００８５】
［第７の実施形態］
第５、第６の実施形態では、ブロック部材８０の側面にパターン状の溝８２ｂを形成する例について説明したが、ブロック部材８０の側面にはパターン状の溝８２ｂを形成せず平面として、これに対向するフレーム３０の内壁面３０ａにパターン状の溝３２ｂを形成するようにしても良い。
【００８６】
図１８は、フレーム３０の上方から空間３４を見たときの断面図を示している。なお、説明のためブロック部材８０の奥側に存在するダンパ３３についても図示している。
【００８７】
フレーム３０において、ブロック部材８０の４つの側面と密接する各内壁面３０ａには、大気連通路となるパターン状の溝３２ｂが形成されており、このパターン状の溝３２ｂは、左右の空間３４のそれぞれにおいて１本でつながる構成となっている。なお、図１８では、４つの内壁面３０ａにパターン状の溝３２ｂが形成されている例を示しているが、フレーム３０の内壁面３０ａの少なくとも１面にあれば良い。
【００８８】
このパターン状の溝３２ｂの一端側は、少なくとも空間３４（ダンパ室空間）と連通するブロック部材８０の底面位置に相当するフレーム３０の位置まで形成されている。また、他端側は、連結経路下部材４０に形成される貫通孔４２ａと連通するブロック部材８０の上面位置に相当するフレーム３０の位置まで形成されている。
【００８９】
この第７の実施形態では、フレーム３０の内壁面３０ａにブロック部材８０を密着させている。すなわち、ブロック部材８０により、フレーム内壁面３０ａに形成されたパターン状の溝３２ｂの空間をシールしている。この際、連結経路下部材４０の装着によって、予め規定した寸法でブロック部材８０を圧縮することで発生する面圧を利用し、パターン状の溝３２ｂがそれぞれ隔てられて１本の経路が形成されるように（隣接する溝が連通してしまわないように）密閉することができるようになっている。
【００９０】
なお、本実施形態では、ブロック部材８０の側面を平面形状としているが、フレーム内壁面３０ａのパターン状の溝３２ｂが形成される対向位置にパターン状の溝８２ｂを形成し、パターン状の溝３２ｂおよびパターン状の溝８２ｂにより大気連通路が形成されるようにしても良い。
【００９１】
［第８の実施形態］
図１９は、第８の実施形態に係る液滴吐出装置を示す断面図である。ここで、フレーム３０に形成される共通液室３１までの連結管３２とインクタンク６０からのインク経路５１，７１，４１とを繋ぐ繋ぎ部分には、インクを封止するために部材が必要である。図１３や図１５に示すようにそのための部材を設けるようにしても良いが、図１９に示すように、ブロック部材８０の一部が、フレーム３０と連結経路下部材４０との間に挟まれて、インクの流路に面するものであって、この挟まれた箇所にインク経路４１と連結管３２の繋ぎ部分をシールするためのシール部８４を有するようにしても良い。図１９に示すようなシール部８４を形成することで、ブロック部材８０が液体封止部材としての機能も兼ねることができる。
【００９２】
なお、図１９は、図１５に示す構成においてシール部８４が設けられた例を示しているが、他の実施形態の構成についても同様にシール部８４を設けることが好ましいのは勿論である。
【００９３】
（画像形成装置）
以下、本発明に係る液滴吐出装置１を備えた画像形成装置の一実施形態について、図２０に示す斜視図と、図２１に示す機構部の構成を示す側面図を参照して説明する。
【００９４】
画像形成装置１００は、装置本体の内部に主走査方向に移動可能なキャリッジ１０１とキャリッジ１０１に搭載した液滴吐出装置１及び液滴吐出装置１に対してインクを供給するインクカートリッジ１０２等で構成される印字機構部１０３等を収納し、装置本体の下方部には前方側から多数枚の記録紙Ｐを積載可能な給紙カセット（或いは給紙トレイでもよい）１０４を抜き差し自在に装着されている。また、記録紙Ｐを手差しで給紙するために開かれる手差しトレイ１０５を有し、給紙カセット１０４あるいは手差しトレイ１０５から給送される記録紙Ｐを取り込み、印字機構部１０３によって所要の画像を記録した後、後面側に装着された排紙トレイ１０６に排紙する。
【００９５】
印字機構部１０３は、図示しない左右の側板に横架したガイド部材である主ガイドロッド１０７と従ガイドロッド１０８とでキャリッジ１０１を主走査方向に摺動自在に保持し、このキャリッジ１０１にはイエロー（Ｙ）、シアン（Ｃ）、マゼンタ（Ｍ）、ブラック（Ｂ）の各色のインク滴を吐出する液滴吐出装置１を複数のインク吐出口（ノズル）を主走査方向と交差する方向に配列し、インク滴吐出方向を下方に向けて装着している。またキャリッジ１０１には液滴吐出装置１に各色のインクを供給するための各インクカートリッジ１０２を交換可能に装着している。
【００９６】
インクカートリッジ１０２は上方に大気と連通する大気口、下方には液滴吐出装置１へインクを供給する供給口が設けられ、内部にはインクが充填された多孔質体を有しており、多孔質体の毛管力により液滴吐出装置１へ供給されるインクをわずかな負圧に維持している。また、液滴吐出装置１としては各色の液滴吐出装置１を用いているが、各色のインク滴を吐出するノズルを有する１個の液滴吐出ヘッドでもよい。
【００９７】
ここでキャリッジ１０１は後方側（用紙搬送方向下流側）を主ガイドロッド１０７に摺動自在に嵌装し、前方側（用紙搬送方向上流側）を従ガイドロッド１０８に摺動自在に載置している。そして、このキャリッジ１０１を主走査方向に移動走査するため、主走査モータ１０９で回転駆動される駆動プーリ１１０と従動プーリ１１１との間にタイミングベルト１１２を張装し、このタイミングベルト１１２をキャリッジ１０１に固定しており、主走査モータ１０９の正逆回転によりキャリッジ１０１が往復駆動される。
【００９８】
一方、給紙カセット１０４にセットした記録紙Ｐを液滴吐出装置１の下方側に搬送するために、給紙カセット１０４から記録紙Ｐを分離給装する給紙ローラ１１３及びフリクションパッド１１４と、記録紙Ｐを案内するガイド部材１１５と、給紙された記録紙Ｐを反転させて搬送する搬送ローラ１１６と、この搬送ローラ１１６の周面に押し付けられる搬送コロ１１７及び搬送ローラ１１６からの記録紙Ｐの送り出し角度を規定する先端コロ１１８とを有する。搬送ローラ１１６は副走査モータによってギア列を介して回転駆動される。
【００９９】
そして、キャリッジ１０１の主走査方向の移動範囲に対応して搬送ローラ１１６から送り出された記録紙Ｐを液滴吐出装置１の下方側で案内するため用紙ガイド部材である印写受け部材１１９を設けている。この印写受け部材１１９の用紙搬送方向下流側には、記録紙Ｐを排紙方向へ送り出すために回転駆動される搬送コロ１２０と拍車１２１を設け、さらに記録紙Ｐを排紙トレイ１０６に送り出す排紙ローラ１２３と拍車１２４と、排紙経路を形成するガイド部材１２５，１２６とを配設している。
【０１００】
この画像形成装置１００で記録時には、キャリッジ１０１を移動させながら画像信号に応じて液滴吐出装置１を駆動することにより、停止している記録紙Ｐにインクを吐出して１行分を記録し、その後、記録紙Ｐを所定量搬送後次の行の記録を行う。記録終了信号または記録紙Ｐの後端が記録領域に到達した信号を受けることにより、記録動作を終了させ記録紙Ｐを排紙する。
【０１０１】
また、キャリッジ１０１の移動方向右端側の記録領域を外れた位置には、液滴吐出装置１の吐出不良を回復するための回復装置１２７を配置している。回復装置１２７はキャップ手段と吸引手段とクリーニング手段を有している。キャリッジ１０１は印字待機中にはこの回復装置１２７側に移動されてキャッピング手段で液滴吐出装置１をキャッピングして吐出口部を湿潤状態に保つことによりインク乾燥による吐出不良を防止する。また、記録途中などに記録と関係しないインクを吐出することにより、全ての吐出口のインク粘度を一定にし、安定した吐出性能を維持する。
【０１０２】
また、吐出不良が発生した場合等には、キャッピング手段で液滴吐出装置１の吐出口（ノズル）を密封し、チューブを通して吸引手段で吐出口からインクとともに気泡等を吸い出し、吐出口面に付着したインクやゴミ等はクリーニング手段により除去され吐出不良が回復される。また、吸引されたインクは、本体下部に設置された廃インク溜（不図示）に排出され、廃インク溜内部のインク吸収体に吸収保持される。
【０１０３】
尚、上述の実施形態は本発明の好適な実施の例ではあるがこれに限定されるものではなく、本発明の要旨を逸脱しない範囲において種々変形実施可能である。
【０１０４】
本明細書における「記録」には、文字や図形等の意味を持つ画像を被記録媒体に対して付与することだけでなく、パターン等の意味を持たない画像を被記録媒体に付与すること（単に液滴を媒体に着弾させること）も含むものとする。また、液滴吐出記録方式の「画像形成装置」は、紙、糸、繊維、布帛、皮革、金属、プラスチック、ガラス、木材、セラミックス等の媒体に液体を吐出して画像形成を行う装置を意味する。
【０１０５】
また、「インク」とは、インクと称されるものに限らず、記録液、定着処理液、液体などと称されるものなど、画像形成を行うことができるすべての液体の総称として用い、例えば、ＤＮＡ試料、レジスト、パターン材料、樹脂なども含まれる。また、「画像」とは平面的なものに限らず、立体的に形成されたものに付与された画像、また立体自体を３次元的に造形して形成された像も含まれる。
【符号の説明】
【０１０６】
１  液滴吐出装置
１０  ノズル板
１１（１１ｙ，１１ｍ，１１ｃ，１１ｋ）  ノズル
２０  アクチュエータユニット
２１（２１ｙ，２１ｍ，２１ｃ，２１ｋ）  個別液室
２２  流路板
２３（２３ｙ，２３ｍ，２３ｃ，２３ｋ）  アクチュエータ
２４（２４ａ，２４ｂ，２４ｃ，２４ｄ）  駆動回路
２５  アクチュエータ基板
２６（２６ｙ，２６ｍ，２６ｃ，２６ｋ）  流体抵抗部
２７（２７ｙ，２７ｍ，２７ｃ，２７ｋ）  液導入部
３０  フレーム
３０ａ  内壁面
３１  共通液室
３２  連結管
３２ｂ  パターン状の溝
３３  ダンパ
３４  空間
３５  ストッパ部
４０  連結経路下部材
４１  インク経路
４２  大気連通路
４２ａ  貫通孔
４２ｂ  パターン状の溝
５０  連結経路上部材
５１  インク経路
５２  大気連通路
５２ｂ  パターン状の溝
６０  インクタンク
７０  弾性部材（液体封止部材）
７１  インク経路
７２  大気連通路
７２ａ  貫通孔
７２ｂ，７２ｂ１，７２ｂ２  パターン状の溝
７２ｃ  両面貫通孔
７２ｄ  端部
７３  凸形状部
７４  シール部
８０  ブロック部材
８０ａ  ブロック表面（パターン形成面）
８２ｂ  パターン状の溝
８３  凸形状部
８４  シール部
９０  カバーシール
１００  画像形成装置
１０１  キャリッジ
１０２  インクカートリッジ
１０３  印字機構部
１０４  給紙カセット
１０５  手差しトレイ
１０６  排紙トレイ
１０７  主ガイドロッド
１０８  従ガイドロッド
１０９  主走査モータ
１１０  駆動プーリ
１１１  従動プーリ
１１２  タイミングベルト
１１３  給紙ローラ
１１４  フリクションパッド
１１５  ガイド部材
１１６  搬送ローラ
１１７  搬送コロ
１１８  先端コロ
１１９  印写受け部材
１２０  搬送コロ
１２１  拍車
１２３  排紙ローラ
１２４  拍車
１２５，１２６  ガイド部材
１２７  回復装置
Ｐ  記録紙
【先行技術文献】
【特許文献】
【０１０７】
【特許文献１】特開２０１３−１０３３９２号公報
【特許文献２】特開２０１１−      ８８７号公報
【特許文献３】特開２００２−１２７４０７号公報
【図１】
2015107633.tif 000003
【図３】
2015107633.tif 000004
【図４】
2015107633.tif 000005
【図５】
2015107633.tif 000006
【図６】
2015107633.tif 000007
【図７】
2015107633.tif 000008
【図８】
2015107633.tif 000009
【図９】
2015107633.tif 000010
【図１０】
2015107633.tif 000011
【図１１】
2015107633.tif 000012
【図１２】
2015107633.tif 000013
【図２０】
2015107633.tif 000014
【図２１】
2015107633.tif 000015
【図２】
2015107633.tif 000016
【図１３】
2015107633.tif 000017
【図１４】
2015107633.tif 000018
【図１５】
2015107633.tif 000019
【図１６】
2015107633.tif 000020
【図１７】
2015107633.tif 000021
【図１８】
2015107633.tif 000022
【図１９】
2015107633.tif 000023